(57)【要約】【課題】ボタン一つ当たり複数の接点部を備えた押しボタン構造において、傾いて押された際にも良好な感触を得ることができる押しボタン構造およびその押しボタン構造を備えた電子機器並びに押しボタンを提供する。【解決手段】押しボタン構造１のボタン本体３の長手方向に沿って延び、複数の押圧部４ａの全てと接触可能な平坦部７ａと、平坦部７ａから突出しているとともに平坦部７ａをボタン本体３に回転自在に支持する軸部７ｂと、を備えたシーソー部材７がボタン本体３に収容されて設けられている。【選択図】図４
2013137966.tif 000002
【特許請求の範囲】
【請求項１】
移動する方向と直交する方向に長手方向と短手方向を有した押しボタン本体と、前記押しボタン本体によって押圧される複数のスイッチ部材と、を備えた押しボタン構造において、
前記ボタン本体の長手方向に沿って延び、前記複数のスイッチ部材の全てと接触可能な板部と、前記板部から突出しているとともに前記板部を前記ボタン本体に対して回転自在に支持する軸部と、を備えた回転部材が前記ボタン本体に収容されて設けられていることを特徴とする押しボタン構造。
【請求項２】
請求項１に記載の押しボタン構造と、ケースと、前記ケース内に収容された印刷配線板と、を備え、
前記押しボタン本体は、前記ケースに対して移動自在に設けられ、
前記スイッチ部材は、前記印刷配線板に設けられている、
ことを特徴とする電子機器。
【請求項３】
発光素子が前記印刷配線板に設けられ、
前記発光素子が発光する光を通過させる通過部が前記回転部材に設けられている、
ことを特徴とする請求項２に記載の電子機器。
【請求項４】
印刷配線板に設けられた複数のスイッチ部材を押圧するとともに、移動する方向と直交する方向に長手方向と短手方向を有した押しボタンであって、
前記押しボタンに収容され、前記押しボタンの長手方向に沿って延び、前記複数のスイッチ部材の全てと接触可能な板部と、
前記板部から突出しているとともに前記板部を前記押しボタンに対して回転自在に支持する軸部と、
を備えていることを特徴とする押しボタン。
【発明の詳細な説明】
【技術分野】
【０００１】
本発明は、ケースに移動自在に支持されたボタン本体と、前記ケース内に設けられ、前記ボタン本体によって押圧されるスイッチ部材と、を備えた押しボタン構造と、その押しボタン構造を備えた電子機器並びに押しボタンに関する。
【背景技術】
【０００２】
従来からオーディオ機器などの電子機器においては、操作手段として押しボタンが用いられている。図１および図２を参照して従来の押しボタン構造を説明する。図１に示したように、押しボタン構造１０１は、ケース１０２と、ボタン本体１０３と、接点部１０４と、印刷配線板１０５と、ＬＥＤ１０６と、を備えている。
【０００３】
ケース１０２は、例えば、樹脂などで成形され電子機器の前面パネルとなる前面部１０２ａと、ボタン本体１０３がケース１０２に対して移動する際にガイドするガイド溝１０２ｂと、を備えている。また、前面部１０２ａには、ボタン本体１０３がケース１０２から突出して設けられるための孔１０２ａ１が形成されている。
【０００４】
ボタン本体１０３は、細長い略箱状に形成され、ケース１０２から突出している操作部１０３ａと、操作部１０３ａに連なる本体部１０３ｂと、本体部１０３ｂの側面から突出して形成され、ケース１０２のガイド溝１０２ｂと係合してボタン本体１０３の移動をガイドするリブ１０３ｃと、を備えている。
【０００５】
接点部１０４は、シリコンゴムなどの弾性体により一体成形され、略円柱状に形成された押圧部１０４ａと印刷配線板１０５と重ねられている板状に形成された板部１０４ｂと、板部１０４ｂから立設された支持部１０４ｃとを備えている。押圧部１０４ａは、表面１０４ａ１でボタン本体１０３の本体部１０３ｂと接触している。また、押圧部１０４ａのボタン本体１０３と接触しない面１０４ａ２には導電性部材が印刷若しくはインサート成形された導電部１０４ｄが形成されている。接点部１０４の押圧部１０４ａは通常印刷配線板１０５とは離れており、ボタン本体１０３が押されると、支持部１０４ｃが弾性変形して押圧部１０４ａの導電部１０４ｄと印刷配線板１０５の押圧部１０４ａに対応する位置に設けられた導電パターンとが接触し、印刷配線板１０５の回路に信号が流れてボタン本体１０３に対応した電子機器の機能が動作する。
【０００６】
また、図１では、１つのボタン本体１０３に対して、押圧部１０４ａが２つ設けられている。この２つの押圧部１０４ａはボタン本体１０３の長手方向の両端に位置付けられており、どちらか一方の導電部１０４ｄが印刷配線版１０５の導電パターンと接触すればボタン本体１０３に対応した機能が動作する。
【０００７】
図１に示した押しボタン構造１０１は、後述するＬＥＤ１０６をボタン本体１０３の略中央に配置するために、押圧部１０４ａは中央からずれた位置に配置しており、また、押圧部１０４ａから遠い箇所を押したときにボタン本体１０３の取り付けガタによる傾きや摺動負荷によるスイッチ切り替え不良を少なくするためにボタン本体１０３の両端（対角線上）に押圧部１０４ａが配置されている。
【０００８】
印刷配線板１０５は、ボタン本体１０３などが押されたか否かなどを検出する回路を備えた基板である。また、印刷配線版１０５は、ボタン本体１０３を裏から照明するためのＬＥＤ（発光ダイオード）１０６が設けられている。
【０００９】
上述した構成の押しボタン構造１０１は、図２に示したようにボタン本体１０３の端を押した場合（矢印押）は、ボタン本体１０３が傾いてしまうため、矢印押に近い方の押圧部１０４ａが先に押され（矢印先）、矢印押から遠い方の押圧部１０４ａが後で押される（矢印後）。つまり、２つの押圧部１０４ａが押されるタイミングがずれてしまう。そのため、１つのボタンを押したにもかかわらず、ボタンのクリック感が２回発生してしまい、ボタン本体１０３を押した際の感触が悪化するという問題があった。
【００１０】
押しボタンが傾いて押されてしまう問題に対しては、例えば特許文献１に記載のプッシュスイッチの押しボタン構造において、押しボタン２４に、円柱状部２４ｂ1と円柱状部２４ｂ1から横方向に向かって延長された角柱状部２４ｂ2から構成された軸杆２４ｂを備え、前面板２１に、円柱状部２４ｂ1と円柱状孔２１ｄ1と角柱状孔２１ｄ2が連結された軸受２１ｄを備え、軸受２１ｄに軸杆２４ｂを嵌挿することで、押しボタン２４が傾かないようにすることが記載されている。
【先行技術文献】
【特許文献】
【００１１】
【特許文献１】特開２００５−１８３３０６号公報
【発明の概要】
【発明が解決しようとする課題】
【００１２】
しかしながら、特許文献１に記載のプッシュスイッチの押しボタン構造は、軸受２１ｄに軸杆２４ｂを嵌挿するので、図１、図２に示したガイド溝１０２ｂとリブ１０３ｃで移動する押しボタン構造１０１に適用するのは困難である。
【００１３】
また、カーオーディオ装置などの電子機器では、ボタンに印字されている文字等を照明することが多いので、図１および図２に示したように押しボタンの中央にＬＥＤを配置することが多く、その場合には上述したように押しボタンの中央に押圧部などの接点部を配置することができずに、押しボタンの端部などに複数の押圧部を配置することとなる。特許文献１に記載のプッシュスイッチの押しボタン構造は、プッシュスイッチ２２ｄが押しボタンの中央に１つ設けられているので、複数の押圧部を配置した場合に傾いて押された際の感触の悪化については何ら考慮されていない。
【００１４】
そこで、本発明は、例えば、ボタン一つ当たり複数のスイッチ部材を備えた押しボタン構造において、傾いて押された際にも良好な感触を得ることができる押しボタン構造およびその押しボタン構造を備えた電子機器並びに押しボタンを提供することを課題とする。
【課題を解決するための手段】
【００１５】
上記課題を解決するために、請求項１に記載の押しボタン構造は、移動する方向と直交する方向に長手方向と短手方向を有した押しボタン本体と、前記押しボタン本体によって押圧される複数のスイッチ部材と、を備えた押しボタン構造において、前記ボタン本体の長手方向に沿って延び、前記複数のスイッチ部材の全てと接触可能な板部と、前記板部から突出しているとともに前記板部を前記ボタン本体に対して回転自在に支持する軸部と、を備えた回転部材が前記ボタン本体に収容されて設けられていることを特徴としている。
【００１６】
請求項４に記載の押しボタンは、印刷配線板に設けられた複数のスイッチ部材を押圧するとともに、移動する方向と直交する方向に長手方向と短手方向を有した押しボタンであって、前記押しボタンに収容され、前記押しボタンの長手方向に沿って延び、前記複数のスイッチ部材の全てと接触可能な板部と、前記板部から突出しているとともに前記板部を前記押しボタンに対して回転自在に支持する軸部と、を備えていることを特徴としている。
【図面の簡単な説明】
【００１７】
【図１】従来の押しボタン構造の側面図である。
【図２】図１に示された押しボタン構造の傾いて押された場合の説明図である。
【図３】本発明の一実施例にかかるカーオーディオ装置の外観斜視図である。
【図４】図３に示されたカーオーディオ装置が備える本発明の一実施例にかかる押しボタン構造を示した側面図である。
【図５】図４に示された押しボタン構造の上面図である。
【図６】本発明の他の実施例を示した上面図である。
【発明を実施するための形態】
【００１８】
以下、本発明の一実施形態にかかる押しボタン構造を説明する。本発明の一実施形態にかかる押しボタン構造は、ボタン本体の長手方向に沿って延び、全ての複数のスイッチ部材と接触可能な板部と、板部から突出しているとともに板部をボタン本体に回転自在に支持する軸部と、を備えた回転部材がボタン本体に収容されて設けられているので、傾いてボタン本体が押圧されても、回転部材はスイッチ部材の反力により常に水平に保たれ、複数のスイッチ部材が押されるタイミングを同時にすることができるために、ボタンを傾いて押された際にも良好な感触を得ることができる。
【００１９】
また、ケースと、ケース内に収容された印刷配線板を備えた電子機器に上述した押しボタン構造を備えてもよい。このようにすることにより、電子機器の押しボタンにおいて、傾いて押された際にも良好な感触を得ることができる。
【００２０】
また、発光素子が印刷配線板に設けられ、発光素子が発光する光を通過させる通過部が回転部材に設けられていてもよい。このようにすることにより、ボタン本体を裏から照明する発光素子が設けられていても、その発光素子が出射する光を遮らずに通過させることができる。
【００２１】
また、本発明の一実施形態にかかる押しボタンは、押しボタンに収容され、押しボタンの長手方向に沿って延び、複数のスイッチ部材の全てと接触可能な板部と、板部から突出しているとともに板部を押しボタンに対して回転自在に支持する軸部と、を備えているので、傾いてボタン本体が押圧されても、回転部材はスイッチ部材の反力により常に水平に保たれ、複数のスイッチ部材が押されるタイミングを同時にすることができるために、ボタンを傾いて押された際にも良好な感触を得ることができる。
【実施例】
【００２２】
本発明の一実施例にかかる電子機器としてのカーオーディオ装置２０を図３乃至図５を参照して説明する。カーオーディオ装置２０は、移動体としての自動車のインストルメントパネル（以下、インパネと呼ぶ）などに装着される。以下、後述するＣＤやＭＤの表面と平行でかつこれらのＣＤやＭＤの出し入れする方向と平行な矢印Ｙを奥行き方向と呼び、ＣＤやＭＤの表面と平行でかつ前記奥行き方向Ｙに対し直交する矢印Ｘを幅方向と呼び、前記奥行き方向Ｙと幅方向Ｘとの双方に対し直交する矢印Ｚを厚み方向と呼ぶ。
【００２３】
カーオーディオ装置２０は、図３に示すように、ケース２２と、ＣＤ（Compact Disk
）プレーヤ２３と、ＭＤ（Mini disc）プレーヤ２４と、ラジオ放送を受信するＡＭ／ＦＭチューナ２５と、表示部２６と、複数の押しボタン構造１と、を備えている。
【００２４】
ケース２２は、合成樹脂で構成された本体部としてのフロントパネル２２ａと、板金で構成されたケース本体２２ｂとを備えて、箱状に形成されている。ケース２２は、ケース本体２２ｂの図３中手前側にフロントパネル２２ａが取り付けられた状態で、前述したインパネに取り付けられる。ケース２２は、ケース本体２２ｂが前述したインパネに取り付けられて、フロントパネル２２ａが外部に露出しかつ乗員（使用者ともいう）に相対する。ケース２２の図３中手前側に位置するフロントパネル２２ａには、ＣＤ用挿入口２８と、ＭＤ用挿入口２９と、ボタン用孔３０（図４に示す）とが開口している。ボタン用孔３０は、図３では幅方向Ｘに沿って４つ設けられている。
【００２５】
ＣＤ用挿入口２８は、内側にＣＤを通して、該ＣＤをケース２２即ちＣＤプレーヤ２３に出し入れする。ＭＤ用挿入口２９は、内側にＭＤを通して、該ＭＤをケース２２即ちＭＤプレーヤ２４に出し入れする。ボタン用孔３０は、前記フロントパネル２２ａを貫通している。ボタン用孔３０即ちフロントパネル２２ａは、後述するボタン本体３を収容するとともに、フロントパネル２２ａ表面に対して直交する奥行き方向Ｙに沿って、当該ボタン本体３を移動自在（変位自在）に支持する。
【００２６】
ＣＤプレーヤ２３は、ケース２２に挿入されたＣＤの情報を読み出して、音声として出力する。ＭＤプレーヤ２４は、ケース２２に挿入されたＭＤの情報を読み出して、音声として出力する。ＡＭ／ＦＭチューナ２５は、ラジオ放送を受信して、音声として出力する。これらのプレーヤ２３，２４及びチューナ２５は、後述する押しボタン構造１等を使用者が操作（押圧）することによって動作する。
【００２７】
表示部２６は、前述したフロントパネル２２ａに取り付けられた液晶ディスプレイなどからなる情報を表示する表示パネル３１を備えている。表示部２６は、表示パネル３１に再生中のＣＤやＭＤのプログラムやＡＭ／ＦＭチューナ２５が受信中の放送局名などの情報を表示する。
【００２８】
また、ケース２２には、図４や図５に示すように、ボタン本体３がケース２２に対して移動する際にガイドするガイド溝２２ｂ１が設けられている。ガイド溝２２ｂ１は、ボタン本体３に形成されたリブ３ｃと係合する溝状に形成されており、リブ３ｃに対応する位置にボタン本体３の移動方向、即ち、奥行き方向Ｙに沿って延在している。
【００２９】
本発明の一実施例にかかる押しボタン構造１は、ケース２２（フロントパネル２２ｂ）と、ボタン本体３と、接点部４と、印刷配線板５と、ＬＥＤ６と、を備えている。
【００３０】
押しボタンとしてのボタン本体３は、樹脂等により細長い略箱状に形成され、ケース２２から突出している操作部３ａと、操作部３ａに連なる本体部３ｂと、本体部３ｂの側面から突出して形成され、ケース２２のガイド溝２２ｂ１と係合してボタン本体３の移動をガイドするリブ３ｃと、本体部３ｂの長手方向の側面下方の略中央に設けられ、後述するシーソー部材７の軸部７ｂが回転自在に挿入される孔３ｄと、シーソー部材７と、を備えている。また、ボタン本体３は、内部が空洞になっており、接点部４と相対する側は解放されている。
【００３１】
本実施例では、図５に示したように、操作部３ａの表面であって使用者等に押圧される面である操作面３ａ１（つまり、押しボタン本体３）は、幅方向Ｘが長手方向、厚み方向Ｚが短手方向となる略矩形状に形成されている。即ち、ボタン本体３は奥行き方向Ｙに沿って移動し、奥行き方向Ｙは幅方向Ｘと厚み方向Ｙと直交するので、ボタン本体３は、移動する方向と直交する方向に長手方向と短手方向を有することとなる。
【００３２】
なお、リブ３ｃは、本体部３ｂの４つの側面に設けられているが、図４では紙面の都合上短手方向の側面のリブ３ｃの図示を省略する。
【００３３】
操作部３ａは、操作面３ａ１には、当該ボタン本体３の機能等が表示される図示しない文字や図形等が表記されており、当該文字や図形はＬＥＤ６によって照明される。また、操作部３ａは、ボタン用孔３０よりも小さく形成されているので、ボタン用孔３０（ケース２２）から突出することができる。本体部３ｂは、ボタン用孔３０よりも大きく形成されており、本体部３ｂがケース２２と接触することで、ボタン本体３の移動を規制している。
【００３４】
シーソー部材７は、ボタン本体３の内部に設けられ（収容され）、ボタン本体３の長手方向に延在し、平坦な板状に形成された平坦部（板部）７ａと、平坦部７ａの長手方向の中央から長手方向と直交する方向に突出した軸部７ｂと、を備えている。平坦部７ａは、少なくとも接点部４の複数の押圧部４ａを押圧可能な長さに形成されている。つまり、押圧部４ａの表面４ａ１の少なくとも一部分と接触して押すことが可能な長さに形成されている。また、平坦部７ａは透明な樹脂で形成され、ＬＥＤ６が出射した光を透過（通過）してボタン本体３の操作面３ａ１の裏側に光が当たるようにしている。軸部７ｂは、ボタン本体の側面に設けられた孔３ｄに挿入されて、シーソー部材７をボタン本体３の移動方向に回転自在としている。
【００３５】
シーソー部材７は、ボタン本体３が押されていない状態で、接点部４の支持部４ｃを弾性変形させないで接触するようなボタン本体３の位置に孔３ｄが設けられ、回転自在となっている。
【００３６】
接点部４は、シリコンゴムなどの弾性体により一体成形され、略円柱状に形成された押圧部４ａと、印刷配線板５と重ねられている板状に形成された板部４ｂと、板部４ｂから立設された支持部４ｃとを備えている。押圧部４ａは、表面４ａ１でシーソー部材７の平坦部７ａと接触可能となっている。また、押圧部４ａの表面４ａ１の裏面４ａ２には導電性部材が印刷若しくはインサート成形された導電部４ｄが形成されている。接点部４の押圧部４ａは通常印刷配線板５とは離れており、ボタン本体３が押されると支持部４ｃが弾性変形して押圧部４ａの導電部４ｄと印刷配線板５の押圧部４ａに対応する位置に設けられた導電パターンとが接触し、印刷配線板５の回路に信号が流れてボタン本体３に対応したカーオーディオ装置２０の機能が動作する。即ち、押圧部４ａが、ボタン本体３によって押圧されることで電気的にオンまたはオフが切り替えられるスイッチ部材として機能する。
【００３７】
また、本実施例では、図５に示すように、１つのボタン本体３に対して、押圧部４ａが２つ設けられている。この２つの押圧部４ａはボタン本体３の長手方向の両端（対角線上）に位置付けられており、どちらか一方の導電部４ｄが印刷配線版５の導電パターンと接触すればボタン本体３に対応した機能が動作する。
【００３８】
印刷配線板５は、ボタン本体３などが押されたか否かなどを検出する回路を備えた基板である。また、印刷配線版５は、ボタン本体３を裏から照明するためのＬＥＤ（発光ダイオード）６が設けられている。また、接点部４の板部４ｂは、ＬＥＤ６に対応する位置では、ＬＥＤ６を通すように孔や切り欠き等が形成されている。
【００３９】
上述した構成の押しボタン構造１は、ボタン本体３が押されていない場合は、支持部４ｂが弾性変形しない状態となっている。このときシーソー部材７の平坦部７ａは両端部（７ａ１、７ａ２）が２つの押圧部４ａの表面４ａ１と接し、押圧部４ａの反力により表面４ａ１、つまり、板部４ｂや印刷配線板５に対して常に水平になるように位置している。そして、図４に示したようにボタン本体３が傾いて押された場合は、シーソー部材７は、前記した水平を保つように回転するので、２つの押圧部４ａは常に同時に押圧されることとなる。
【００４０】
つまり、シーソー部材７の両端が、ボタン本体３が移動する方向に移動できるようにシーソー部材７が回転自在になっているので、２つの押圧部４ａは常に同時に押圧されるようにシーソー部材７が回転する。
【００４１】
本実施例によれば、押しボタン構造１のボタン本体３の長手方向に沿って延び、複数の押圧部４ａの全てと接触可能な平坦部７ａと、平坦部７ａから突出しているとともに平坦部７ａをボタン本体３に回転自在に支持する軸部７ｂと、を備えたシーソー部材７がボタン本体３に収容されて設けられているので、傾いてボタン本体３が押圧されても、シーソー部材７が複数の押圧部４ａと接するように回転して、複数の押圧部４ａが押されるタイミングを同時にすることができるので、ボタン本体３を傾いて押された際にも良好な感触を得ることができる。
【００４２】
また、印刷配線板５にＬＥＤ６が設けられ、シーソー部材７は、ＬＥＤ６が出射する光をボタン本体３裏側に透過させるために透明な樹脂で形成されているので、ボタン本体３を裏から照明するＬＥＤ６が設けられていても、そのＬＥＤ６が出射する光を遮らずに透過させることができる。
【００４３】
なお、上述した実施例において、シーソー部材７は透明な樹脂で形成することで、ＬＥＤ６が出射した光を透過させていたが、透明な部分はＬＥＤ６に対応する一部のみでもよいし、あるいは光が通過できるような孔を設けるようにしてもよい。
【００４４】
また、上述した実施例では、複数の押圧部４ａはボタン本体３の対角線上に設けられていたが、それに限らず、ボタン本体３の長手方向の両端部などボタン本体３の中央以外の位置であればよい。勿論押圧部４ａを３つ以上設けてもよい。また、接点部４のような弾性体により押圧部４ａと板部４ｂと支持部４ｃとが一体に成形されたものでなく、特許文献１に記載されているプッシュスイッチのようなスイッチ部材など、押圧されることで電気的にオンまたはオフが切り替えられるようなスイッチ素子（部材）であればよい。
【００４５】
また、上述した実施例では、ボタン本体３は略矩形の箱型であったが、それに限らず、例えば図６のボタン本体３の上面図に示したような形状でもよい。図６（ａ）は長手方向の一端側が曲線となっている形状である。図６（ｂ）は長手方向の中央部が窪んでいる形状（瓢箪型等）である。図６（ｃ）は楕円形である。要するに、移動する方向と直交する方向に長手方向と短手方向が定義可能な細長い形状であれば本発明を適用することができる。
【００４６】
また、シーソー部材７は、本体部３ｂの側面に孔３ｄを設けるに限らず、例えば、本体部３ｂの側面内側に向かって突出した、軸部７ｂを回転自在に支持する支持部等により回転自在に支持するようにしてもよい。また、ガイド溝２２ｂ１は、上述した実施例では、孔３ｄとずらして配置していたが、軸部７ｂを回転自在に支持できるのであれば、同じ位置に配置してもよい。
【００４７】
前述した実施例によれば、以下の押しボタン構造１およびボタン本体３が得られる。
【００４８】
（付記１）移動する方向と直交する方向に長手方向と短手方向を有したボタン本体３と、ボタン本体３によって押圧され、ボタン本体３に対して複数設けられている押圧部４ａと、を備えた押しボタン構造１において、
ボタン本体３の長手方向に沿って延び、複数の押圧部４ａの全てと接触可能な平坦部７ａと、平坦部７ａから突出しているとともに平坦部７ａをボタン本体３に回転自在に支持する軸部７ｂと、を備えたシーソー部材７がボタン本体３に収容されて設けられている
ことを特徴とする押しボタン構造１。
【００４９】
（付記２）印刷配線板５に重ねられた複数の押圧部４ａを押圧するとともに、移動する方向と直交する方向に長手方向と短手方向を有したボタン本体３であって、
ボタン本体３に収容され、ボタン本体３の長手方向に沿って延び、複数の押圧部４ａの全てと接触可能な平坦部７ａと、
平坦部７ａから突出しているとともに平坦部７ａをボタン本体３に対して回転自在に支持する軸部７ｂと、
を備えていることを特徴とするボタン本体３。
【００５０】
この押しボタン構造１およびボタン本体３によれば、傾いてボタン本体３が押圧されても、シーソー部材７が複数の接点部材が接するまで回転して、複数の押圧部４ａが押されるタイミングを同時にすることができるので、ボタンを傾いて押された際にも良好な感触を得ることができる。
【００５１】
なお、前述した実施例は本発明の代表的な形態を示したに過ぎず、本発明は、実施例に限定されるものではない。すなわち、本発明の骨子を逸脱しない範囲で種々変形して実施することができる。
【符号の説明】
【００５２】
１        押しボタン構造
３        ボタン本体（押しボタン）
４ａ      押圧部（スイッチ部材）
５        印刷配線版
６        ＬＥＤ（発光素子）
７        シーソー部材（回転部材）
７ａ      平坦部
７ｂ      軸部
２２      ケース
【図１】
2013137966.tif 000003
【図２】
2013137966.tif 000004
【図３】
2013137966.tif 000005
【図４】
2013137966.tif 000006
【図５】
2013137966.tif 000007
【図６】
2013137966.tif 000008